(57)【要約】      （修正有）【課題】上面が開口した箱型の上蓋本体に保温又は保冷剤を配置するので、保温剤や保冷剤が漏出しても、容器本体に入り込むことなく、内部の食品などを汚損するおそれのない携帯用容器を提供する。【解決手段】携帯用容器１は、上面が開口した容器本体２と上蓋３を備える。上蓋３は、上面が開口した箱型であって、容器本体２の上面開口部の内側に嵌め込まれる上蓋本体３１と、上蓋本体３１の開口部を塞ぐ天板３５を備える。上蓋本体３１と天板３５との間の収納部３２に保温又は保冷剤４が密封される。上蓋本体３１の開口部の周縁部における容器本体２の上縁部２１よりも外側の位置に形成された第１の接合面と、天板３５の周縁に形成された第２の接合面を有し、これらの接合面を重ね合わせた状態で溶着されている継ぎ目を有する。【選択図】図２
0003201073.tif 000002
【実用新案登録請求の範囲】
【請求項１】
上面が開口した容器本体と、
上面が開口した箱型であって前記容器本体の上面開口部の内側に嵌め込まれる上蓋本体と、前記上蓋本体の開口部を塞ぐ天板を備えた上蓋と、
前記上蓋の上蓋本体と天板との間の空間部に密封された保温又は保冷剤と、
前記上蓋本体の開口部の周縁部における前記容器本体の上縁部よりも外側の位置に形成された第１の接合面と、前記天板の周縁に形成された第２の接合面と、前記第１と第２の接合面を重ね合わせた状態で溶着されている継ぎ目を有する携帯用容器。
【請求項２】
前記上蓋本体と前記天板の継ぎ目は、超音波溶着により溶着された請求項１記載の携帯用容器。
【請求項３】
前記第１の接合面と前記第２の接合面が、前記上蓋の表面と平行に形成されている請求項１又は請求項２に記載の携帯用容器。
【請求項４】
前記上蓋本体の周縁から前記容器本体の外方に向かって突出し、前記容器本体の開口部の上縁部に上方から当接する係合部を備え、前記継ぎ目が前記係合部よりも容器本体の外側の位置にある請求項１から請求項３のいずれかに記載の携帯用容器。
【請求項５】
前記容器本体と前記上蓋との間に、前記容器本体の上縁部の内壁面に嵌り込み弾性変形する材料の中蓋が配置されている請求項１から請求項４のいずれかに記載の携帯用容器。
【考案の詳細な説明】
【技術分野】
【０００１】
本考案は、上蓋の内部に保温又は保冷剤を内蔵した携帯用容器に関する。
【背景技術】
【０００２】
従来、保冷あるいは保温機能のある弁当箱などとして使用される携帯用容器が知られている。これらの携帯用容器は、例えば、特許文献１に示すように、上蓋の内部に保冷剤を配置している。その場合、上蓋の底を１枚の平板状の底板から構成し、その底板の上に保冷剤を載せ、下面が開口した箱型の上蓋本体を保冷剤の上から被せ、底板と上蓋本体の下縁部を接着剤や嵌合によって密封している。
【先行技術文献】
【特許文献】
【０００３】
【特許文献１】実用新案登録第３１１２７２３号
【０００４】
しかし、上蓋の底板と上蓋本体の下縁部を接着剤や嵌合によって密封した従来の容器では、容器の蓋をした状態で、底板と上蓋本体との継ぎ目部分から内部の保冷剤が漏れ出すおそれがある。
【０００５】
すなわち、液体やゲルの保冷剤が樹脂製の袋に入っている場合には、もともと袋に傷があったり、携帯時の衝突によって袋が破損したりすると、保冷剤が袋から漏れ出し、更に底板と上蓋本体との隙間部分から上蓋の下面にしみ出してくる可能性があった。また、保冷剤を上蓋に直接注入する場合には、携帯時の上蓋の変形や破損によって、保冷剤が底板と上蓋本体との隙間部分から上蓋の下面にしみ出してくる可能性はより高くなる。
【０００６】
このように、従来技術では、上蓋本体と底板の継ぎ目が上蓋の底部に露出しているため、容器に内容物を入れて上蓋を閉じた場合に、継ぎ目が容器の内側に位置することになり、しみ出した保冷剤が容器内部の食品などを汚損するという問題がある。
【０００７】
また、従来技術のような平板状の底板の上に保冷剤を置くと、次の上蓋本体と底板との接合工程までの間に保冷剤が位置ずれしやすい。その結果、従来技術では、上蓋本体と底板とで保冷剤を挟み込んでしまい、保冷剤の袋が破損して保冷剤の漏出の原因となったり、挟み込まれた保冷剤により継ぎ目の密封が損なわれるという問題がある。
【０００８】
さらに、従来技術では、上蓋本体と底板を加熱や接着剤などにより封をするので、上蓋の組立作業に時間や手間がかかり、機械化による大量生産に適さないという問題もある。
【０００９】
このような問題点は、上蓋内部に保温剤を封入した携帯用容器においても、同様に発生するものであった。
【００１０】
本考案は、以上のような従来技術の課題を解決するために提案されたものであり、その目的は、保温剤や保冷剤が漏出しても、容器本体に入り込むことなく、内部の食品などを汚損するおそれのない携帯用容器を提供することにある。
本考案の他の目的は、底板と天板との継ぎ目部分の接合が確実に行え、保温剤や保冷剤が継ぎ目部分から漏出するおそれのない携帯用容器を提供することにある。
【考案の概要】
【課題を解決するための手段】
【００１１】
本考案の携帯用容器は、次のような構成を有することを特徴とする。
（１）上面が開口した容器本体。
（２）上面が開口した箱型であって前記容器本体の上面開口部の内側に嵌め込まれる上蓋本体と、前記上蓋本体の開口部を塞ぐ天板を備えた上蓋。
（３）前記上蓋本体と天板との間の空間部に密封された保温又は保冷剤。
（４）前記上蓋本体の開口部の周縁部における前記容器本体の上縁部よりも外側の位置に形成された第１の接合面と、前記天板の周縁に形成された第２の接合面と、第１と第２の接合面を重ね合わせた状態で溶着されている継ぎ目。
【００１２】
本考案の携帯用容器では、次のような構成を有することが好ましい。
（１）前記前記継ぎ目は、超音波溶着により溶着されている。
（２）前記第１の接合面と前記第２の接合面が、前記上蓋の表面と平行に形成されている。
（３）前記上蓋本体の周縁から前記容器本体の外方に向かって突出し、前記容器本体の開口部の上縁部に上方から当接する係合部を備え、前記継ぎ目が前記係合部よりも容器本体の外側の位置にある。
（４）前記容器本体と前記上蓋との間に、前記本体の上縁部の内壁面に嵌り込み弾性変形する材料の中蓋が配置されている。
【考案の効果】
【００１３】
本考案によれば、継ぎ目が容器本体の上縁部よりも外側に設けられているため、たとえ保温剤や保冷剤が漏出しても、容器本体に入り込むことなく、内部の食品などを汚損するおそれのない携帯用容器を提供することができる。
【図面の簡単な説明】
【００１４】
【図１】本発明の第１実施形態を示す斜視図。
【図２】第１実施形態を示す横断面図。
【図３】第１実施形態における上蓋本体を示す図で、（ａ）は平面図、（ｂ）は正面図、（ｃ）は縦断面図、（ｄ）は側面図。
【図４】第１実施形態における天板を示す図で、（ａ）は平面図、（ｂ）は正面図、（ｃ）は縦断面図、（ｄ）は側面図。
【図５】第１実施形態の上蓋の製造工程を示す断面図。
【図６】第１実施形態における上蓋本体と天板との接合部分の拡大断面図。
【図７】第２実施形態に係る携帯用容器の横断面図。
【考案を実施するための形態】
【００１５】
以下、本考案の実施の形態について、図面を参照して詳細に説明する。ここでは、携帯用容器として、保冷剤を上蓋に内蔵した弁当箱を例にとって説明する。
【００１６】
［１．第１実施形態］
（１）構成
図１及び図２に示す携帯用容器１は、容器本体２と、上蓋３と、保冷剤４で構成される。
【００１７】
容器本体２は、図２に示すように、開口部を有する箱体で、樹脂製又は木製である。容器本体２の開口部は、開口部の内側に嵌め込まれる上蓋３によって密封される。上蓋３は容器本体２の開口部の縁、すなわち容器本体２の上縁部２１によって一定以上容器本体２の内部に入り込まないように係止される。容器本体２の底面には、ゴムバンドなどの幅に合うように間隔を保って脚部２２が設けられている。
【００１８】
上蓋３は、容器本体２の開口部とほぼ同形状であって、容器本体２の開口部内に嵌め込まれる上蓋本体３１を有する。上蓋本体３１は、図３に示すように、上面が開口した箱型の部材であり、その内側の凹んだ部分が保冷剤４の収納部３２になっている。上蓋本体３１には、上蓋本体３１が一定量以上容器本体２の内部に入り込まないように、上蓋本体３１の上縁部の周囲から外側に向かって突出した係合部３３が設けられている。この係合部３３は、本実施形態では、先端が下方に屈曲した断面Ｌ字形の部材であり、下方に屈曲した先端部が容器本体２の上縁部２１に当接する。保冷剤の収納部３２の上縁部には、水平方向に段部が形成され、その段部の表面が第１の接合面３４になっている。
【００１９】
箱型の上蓋本体３１の上面に形成された開口部は、ほぼ平板状の天板３５によって密封される。この天板３５は、図４に示すように、周囲に水平方向に突出したフランジ状の第２の接合面３６を有するもので、この第２の接合面３６が第１の接合面３４に重ね合わされた状態で溶着される。
【００２０】
（２）作用・効果
本実施形態の携帯用容器は、次のように使用する。
【００２１】
本実施形態の携帯用容器の上蓋３を製造するには、図５に示すように、上蓋本体３１、保冷剤４、断熱シート４１及び天板３５を用意する。その状態で、上蓋本体３１の収納部３２内に保冷剤４と断熱シート４１とを重ね合わせて収納し、上蓋本体３１の上面開口部を天板３５によって塞ぐ（図６（ａ）参照）。その際、収納部３２の上部に形成された第１の接合面３４と、天板３５の周囲に形成された第２の接合面３６とを重ね合わせ（図６（ｂ）参照）、上下から金型などで挟持した状態で溶着する。この場合の溶着方法としては、超音波溶着が好ましい。
【００２２】
このようにして形成された上蓋３は、第１の接合面３４と第２の接合面３６が水平方向に重なり合っていることから、上蓋３の上下から圧力を加えて溶着することができ、接合面同士を確実に密着することができる（図６（ｃ）参照）。その結果、上蓋本体３１と天板３５との継ぎ目から内部の保冷剤４が漏れ出すおそれがなくなる。
【００２３】
このようにして製造された上蓋３を使用した本実施形態の携帯用容器を使用するには、まず、容器本体２の内部に、食品などの内容物を収納する。その後、予め保温又は保冷した上蓋３を、容器本体２の開口部に嵌め込み、容器本体２及び上蓋３を密着させる。この際、上蓋本体３１の上縁部には外方に向かってＬ字形に突出した係合部３３が一体に形成されていることから、上蓋３を容器本体２に嵌め込んだ状態において、Ｌ字形の係合部３３と上蓋本体３１の側面部の隙間に容器本体２の上縁部が嵌合し、容器本体２と上蓋３の十分な密封性を確保することができる。また、保冷剤４が上蓋３と一体的に形成されているので、上蓋３に保冷剤４を詰める手間を省くことができる。
【００２４】
特に、上蓋３に形成された第１の接合面３４と第２の接合面３６との継ぎ目は、Ｌ字形の係合部３３よりも容器本体２の外側に位置しているので、仮に継ぎ目から内部の保冷剤が漏出するようなことがあっても、容器本体２の内部に入り込んで、食品などを汚損することがない。
【００２５】
内容物を取り出す場合には、上蓋３を開けて、容器本体２の開口部より内容物を取り出す。使用後は、上蓋３を直接冷凍庫で凍らせたり、電子レンジなどで保温したりすることにより、保温又は保冷性の高い携帯用容器として、繰り返し使用することができる。
【００２６】
本実施形態によれば、次のような作用効果が発揮される。
【００２７】
（ａ）容器本体２の開口部を上蓋３で密封した場合に、天板３５と上蓋本体３１の継ぎ目が上蓋３の上面、すなわち容器本体２の外側にあるので、たとえ継ぎ目部分から保冷剤４が漏出しても、容器本体２の内部に入り込むことがなく、内部の食品などを汚損するおそれがない。
【００２８】
（ｂ）第１の接合面３４と第２の接合面３６を、上蓋本体３１及び天板３５の周囲に水平方向に配置したので、２つの接合面を上下から挟持することか可能になる。その結果、超音波溶着などの作業を行う場合、接合面を加圧することで、継ぎ目部分の溶着を確実に行える。
【００２９】
（ｃ）超音波溶着により天板３５と上蓋本体３１の上縁部を溶着するので、接着剤の塗布などの作業が不要であり、上蓋３の製造が簡単である。
【００３０】
（ｄ）上蓋本体３１が上面開口部を有する箱状をしているので、上蓋本体３１の内部に形成された収納部内に保温又は保冷剤４を配置すると、保温又は保冷剤４の周囲が上蓋本体３１によって押さえられ、保温又は保冷剤４の位置決めを簡単に行うことができる。
【００３１】
（ｅ）上蓋３の係合部３３が容器本体２の上縁部２１に重ね合わされているので、上蓋３を容器本体２に嵌め込んだ状態において、Ｌ字形の係合部３３と上蓋本体３１の側面部の隙間に容器本体２の上縁部が嵌合し、容器本体２と上蓋３の十分な密封性を確保することができる。
【００３２】
（ｆ）容器本体２の底面には、ゴムバンドなどの幅に合うように脚部２２が設けられているので、容器本体２に上蓋３を被せた上からゴムバンドをする場合には、ゴムバンドが容器本体２の底面と脚部２２とで形成される溝部で固定されるので、携帯中でもゴムバンドが外れにくい。
【００３３】
［２．第２実施形態］
第２実施形態は、図７に示すように、容器本体２と上蓋３との間に、容器本体２の上縁部２１の内壁面に嵌り込み弾性変形する材料の中蓋５が配置されているものである。中蓋５の材料は、シリコーン、ポリエチレン、ウレタンなどの樹脂から構成されたエラストマーであって、弾性変形するものである。中蓋５は、その底部５１が容器本体２の開口部に嵌め込まれ、開口部を塞ぐ形状である。
【００３４】
中蓋５の底部５１の周囲には、側板５２が上方に向けて一体に形成され、側板５２の上縁部には、外方に水平方向に突出したフランジ５３が一体に形成されている。フランジ５３は、中蓋５を容器本体２に嵌め込んだ場合に、フランジ５３の下面が容器本体２の上縁部２１の上面に重ね合わされて密着する。
【００３５】
中蓋５には、容器本体２の上縁部２１よりも容器本体２の底面側に入り込んだ側板５２と底板５３から形成された凹部が中蓋５の全面にわたって形成され、この凹部が弾性変形して容器本体２の内壁面に嵌り込むことから、容器本体２の開口部から外れない。
【００３６】
本実施形態によれば、次のような作用効果が発揮される。
【００３７】
（ａ）エラストマーで成型された中蓋５は、弾性変形により、容器本体２の内壁面と中蓋５の側板５２が密着するので、密閉性が高く、持ち運びによる内容物の汁漏れを防止することができる。特に、中蓋５は、弾性変形して容器本体２の内壁面に嵌り込むことから、容器本体２の開口部から外れない。
【００３８】
（ｂ）本実施形態では、エラストマー製の中蓋５を使用することで、容器本体２や上蓋４にパッキンを設ける必要がない。そのため、木製の容器本体２のように、パッキンを固定するための細かな溝加工などを施すことができない容器においても、十分な密封性を確保できる。
【００３９】
（ｃ）容器本体２と中蓋５は、容器本体２の内壁面と中蓋５の側板５２だけでなく、容器本体２の上縁部２１の上面と中蓋５のフランジ５３の下面との２か所で密着するので、密閉性がより向上する。
【００４０】
（ｄ）容器本体２の内壁面と上蓋３の上蓋本体３１の外壁面とで、中蓋５の側板５２が挟持されているので、中蓋５が、容器本体２の内壁面に向かって加圧されるため、密着性が向上すると共に、上蓋３が中蓋５から外れ難くなる。
【００４１】
（ｅ）上蓋３の係合部３３が中蓋５のフランジ５３の上面に重ね合わされているので、中蓋５のフランジ５３が上蓋３の係合部３３で加圧され、容器本体２の上縁部２１の上面と中蓋５のフランジ５３とが密着し、更に、容器本体２と中蓋５は、容器本体２の内壁面と容器本体２の上縁部２１の上面の２か所で密着するので、密閉性がより向上する。
【００４２】
［３．他の実施形態］
本考案は、前記の実施形態に限定されるものではなく、次のような他の実施形態も包含する。
【００４３】
（１）容器の形状は、長方形に限定されず、正方形、多角形、丸型、楕円形でも良い。また、容器は、樹脂製、金属製、木製でも良い。容器を木製とした場合、木製の容器本体２は、金属製や樹脂製の場合に比べ、断熱効果が高く、保冷、保温効果に優れたものとなる。
【００４４】
（２）上蓋３を容器本体２から外し易いように、係合部３３の一部のみを容器本体２の側面より突出させても良いし、容器本体２の上縁部２１を一部凹ませても良い。
【００４５】
（３）上蓋３のＬ字形の係合部３３と上蓋本体３１の側面部の間又は容器本体２の上縁部に、気密用のゴムを付しても良い。係合部３３を断面Ｌ字形とせず、単なる水平方向に伸びる板状の部材とすることもできる。
【００４６】
（４）保温又は保冷剤４の内容物は、液体であってもゲルであっても良い。保温又は保冷剤４は、外装フィルムの中に内容物を入れ密封してから上蓋本体３１に配置しても良いし、上蓋本体３１に内容物を直接注入しても良い。
【００４７】
（５）図示の実施形態においては、容器本体２、上蓋３からなる一段の弁当箱を例に挙げたが、複数の容器本体２と１つの上蓋３からなる複数段の弁当箱であっても良い。この場合、上に重なる容器本体２の底部を上蓋３と同様の形状としておくと良い。
【符号の説明】
【００４８】
１…携帯用容器
２…容器本体
２１…上縁部
２２…脚部
３…上蓋
３１…上蓋本体
３２…収納部
３３…係合部
３４…第１の接合面
３５…天板
３６…第２の接合面
４…保冷剤
４１…断熱シート
５…中蓋
５１…底部
５２…側板
５３…フランジ
【図１】
0003201073.tif 000003
【図２】
0003201073.tif 000004
【図３】
0003201073.tif 000005
【図４】
0003201073.tif 000006
【図５】
0003201073.tif 000007
【図６】
0003201073.tif 000008
【図７】
0003201073.tif 000009